(57)【要約】【課題】ダビング済みコンテンツを残すコピー式のダビング手法では、ダビング完了後にＨＤＤ内のダビング済みコンテンツを手動で削除しなければならないので手間がかかる。【解決手段】ダビング元記録メディアに記録されたコンテンツを、ダビング先記録メディアにダビングするダビング手段と、ダビング済みコンテンツのそれぞれについて、コンテンツを保持する期限または期間であるライフタイムを設定するライフタイム設定手段と、ダビング済みコンテンツのうち、前記ライフタイムを経過したコンテンツを、前記ダビング元記録メディアから削除する削除手段と、を備えたことを特徴とする。【選択図】図２
2007243865.tif 000002
【特許請求の範囲】
【請求項１】
ダビング元記録メディアに記録されたコンテンツを、ダビング先記録メディアにダビングするダビング手段と、
ダビング済みコンテンツのそれぞれについて、コンテンツを保持する期限または期間であるライフタイムを設定するライフタイム設定手段と、
ダビング済みコンテンツのうち、前記ライフタイムを経過したコンテンツを、前記ダビング元記録メディアから削除する削除手段と、
を備えたコンテンツ管理装置。
【請求項２】
ダビング済みコンテンツのうち、前記ライフタイムを経過したコンテンツのリストを画面に表示させる表示手段と、
前記リストに関するコンテンツのうち、削除すべきコンテンツの選択指示を受け付ける入力手段と、を更に備え、
前記削除手段は、受け付けた選択指示に基づいてコンテンツを削除することを特徴とする請求項１記載のコンテンツ管理装置。
【請求項３】
前記ダビング元記録メディアの空き容量を監視する監視手段を更に備え、
前記表示手段は、前記ダビング元記録メディアの空き容量が、予め設定した閾値を下回ったことをトリガとして、コンテンツのリストを表示することを特徴とする請求項２記載のコンテンツ管理装置。
【請求項４】
ダビング済みコンテンツのライフタイムを監視するライフタイム監視手段を更に備え、
前記表示手段は、何れかのコンテンツのライフタイムが経過したことをトリガとして、コンテンツのリストを表示することを特徴とする請求項２記載のコンテンツ管理装置。
【請求項５】
ダビング済みコンテンツの情報量を削減した低情報量コンテンツを作成するコンテンツ変換手段を更に備え、
前記削除手段は、削除するコンテンツと前記低情報量コンテンツを置き換えることを特徴とする請求項１記載のコンテンツ管理装置。
【請求項６】
前記ライフタイムは、コンテンツのジャンル毎に初期値が決められており、
前記ライフタイム設定手段は、ダビング済みコンテンツのジャンルに応じて、コンテンツ毎にライフタイムを設定することを特徴とする請求項１記載のコンテンツ管理装置。
【請求項７】
前記ダビング手段においてダビング指示したコンテンツが複数のＰＳ（Ｐｒｏｇｒａｍ  Ｓｔｒｅａｍ）を集約したＴＳ（Ｔｒａｎｓｐｏｒｔ  Ｓｔｒｅａｍ）で構成されるマルチ編成番組の場合、さらに、前記ダビング手段で指示したコンテンツ以外のコンテンツを削除する未選択コンテンツ削除手段を備え、
録画された複数コンテンツの中から、ダビング指示したコンテンツだけをダビング済みリストに記録することを特徴とする請求項１記載のコンテンツ管理装置。
【発明の詳細な説明】
【技術分野】
【０００１】
本発明は、デジタル録画コンテンツに対するダビングが可能なコンテンツ管理装置に関し、特にダビング元記憶媒体におけるダビング済みコンテンツの削除制御に関する。
【背景技術】
【０００２】
昨今、ランダムアクセス性に優れたＤＶＲ（Ｄｉｇｉｔａｌ  Ｖｉｄｅｏ  Ｒｅｃｏｒｄｅｒ）として、ＨＤＤ（Ｈａｒｄ  Ｄｉｓｋ  Ｄｒｉｖｅ）レコーダやＤＶＤレコーダが普及し、アナログ放送からデジタル放送へ移行するなかで、今後ますます市場が拡大すると予想される。これらのＤＶＲの多くは、例えば２００ＧＢを超える大容量ＨＤＤを内蔵しており、製品によっては２００時間ものコンテンツを録画できるなど、保持できるデータの量が年々増加の傾向にある。それに伴って、コンテンツをまずＨＤＤに録画し、その中から保存しておきたいコンテンツを取捨選択してＤＶＤへダビングするという使われ方も一般的になってきている。
【０００３】
コンテンツを録画する際には、ビットレートを選択することができる。高ビットレートほど画質が高いので鑑賞する分には好ましいが、逆に保存に必要な容量が大きくなるので保存できるコンテンツ数が少なくなるジレンマがある。画質が高い順にＸＰ、ＳＰ、ＬＰ、ＥＰモードが存在し、ユーザのニーズに合わせて選択することが可能となっている。
ダビング方法も、ダビング元コンテンツをダビング先に無変換でコピーする高速ダビングや、ダビング元コンテンツをダビング先に低ビットレートあるいは高ビットレートに変換してコピーする再エンコードダビングが存在する。
【０００４】
またダビング時のコンテンツ管理方法として、ＨＤＤなどに保存されているダビング元コンテンツをＤＶＤなどのダビング先メディアにコピーすることでダビング済みコンテンツをＨＤＤにも残すコピー式のコンテンツ管理方法に加えて、前記コピー式のコンテンツ管理方法を実施した後にＨＤＤなどに保存されているダビング元メディアのコンテンツを消去することでダビング済みコンテンツをＨＤＤに残さないムーブ式のコンテンツ管理方法が存在する。コピー式のコンテンツ管理方法においては、ユーザはＤＶＤのコンテンツが再生装置で読み込み可能か、音飛びなど不備はないか、画質は適当か、などユーザ自身の視聴による確認も含めてＤＶＤに対して望む形で保存できたかどうかを確認した後にＨＤＤ内のコンテンツを削除することが可能だが、手動で削除するため手間がかかる。一方、ムーブ式のコンテンツ管理方法においては、自動でＨＤＤのコンテンツを削除するので、ＨＤＤのコンテンツの削除前にＤＶＤに対してダビングユーザ自身の視聴による確認は不可だが、ＨＤＤのコンテンツの削除に対してユーザの手間がかからない。
【０００５】
ＨＤＤの大容量化に伴って、ＨＤＤ内のコンテンツ数が増加する中で、ユーザに対してＨＤＤ内の不要なコンテンツを削除するための手段を提供することは重要である。視聴頻度の高いコンテンツはＨＤＤ内にあった方が使い勝手がよいので、ユーザはできるだけＨＤＤにコンテンツを残し、ＨＤＤの残容量が少なくなった時点で不要なコンテンツを削除し、空き容量を増やそうとするからである。不要なコンテンツの一例として、ＨＤＤ内のダビング済みのコンテンツがある。例えば特許文献１では、ダビング元のメディアの残容量が設定された閾値を下回った場合に、すでにダビングしたコンテンツを自動削除する手法が紹介されている。
【特許文献１】特開２００４−５６３９６号公報
【発明の開示】
【発明が解決しようとする課題】
【０００６】
しかしながら、前記従来の構成では、ＨＤＤ内のダビング済みコンテンツをユーザのニーズに合わせてかつ完全に削除する手段をユーザに提供しているとは言えない。
すなわち、ダビング済みコンテンツを残すコピー式のコンテンツ管理方法では、ダビング完了後にＨＤＤ内のダビング済みコンテンツを手動で削除しなければならないので手間がかかり、一方、ダビング済みコンテンツを残さないムーブ式のコンテンツ管理方法ではダビング完了後に自動で消去してしまうので、ユーザの意図通りにＤＶＤにダビングできたかどうかを確認する時間が与えられない。
【０００７】
また、特許文献１に示す手法は、ＤＶカメラの記憶容量が閾値を越えるとダビング済みコンテンツを自動で削除するが、設定した削除予約に対して自動削除を行うので、削除予約を忘れると削除されないか、削除予約を間違えると意図しないコンテンツを削除してしまうという課題を有している。
【０００８】
本発明は、前記従来の課題を解決するもので、ダビング完了後にダビング先メディアのコンテンツがユーザの意図通りに保存されているかどうか確認する時間を与え、かつダビング済みコンテンツを手間なく漏れなく消去し、かつダビング元メディアの空き記憶領域を増やすことができるコンテンツ管理装置を提案する。
【課題を解決するための手段】
【０００９】
前記従来の課題を解決するために、本発明のコンテンツ管理装置は、ダビング元記録メディアに記録されたコンテンツを、ダビング先記録メディアにダビングするダビング手段と、ダビング済みコンテンツのそれぞれについて、コンテンツを保持する期限または期間であるライフタイムを設定するライフタイム設定手段と、ダビング済みコンテンツのうち、前記ライフタイムを経過したコンテンツを、前記ダビング元記録メディアから削除する削除手段と、を備えた。
【００１０】
また、本発明のコンテンツ管理装置は、ダビング済みコンテンツのうち、前記ライフタイムを経過したコンテンツのリストを画面に表示させる表示手段と、前記リストに関するコンテンツのうち、削除すべきコンテンツの選択指示を受け付ける入力手段と、を更に備え、前記削除手段は、受け付けた選択指示に基づいてコンテンツを削除することを特徴とする。
【００１１】
また、本発明のコンテンツ管理装置は、前記ダビング元記録メディアの空き容量を監視する監視手段を更に備え、前記表示手段は、前記ダビング元記録メディアの空き容量が、予め設定した閾値を下回ったことをトリガとして、コンテンツのリストを表示することを特徴とする。
【００１２】
また、本発明のコンテンツ管理装置は、ダビング済みコンテンツのライフタイムを監視するライフタイム監視手段を更に備え、前記表示手段は、何れかのコンテンツのライフタイムが経過したことをトリガとして、コンテンツのリストを表示することを特徴とする。
【００１３】
また、本発明のコンテンツ管理装置は、ダビング済みコンテンツの情報量を削減した低情報量コンテンツを作成するコンテンツ変換手段を更に備え、前記削除手段は、削除するコンテンツと前記低情報量コンテンツを置き換えることを特徴とする。
【００１４】
また、本発明のコンテンツ管理装置は、前記ライフタイムは、コンテンツのジャンル毎に初期値が決められており、前記ライフタイム設定手段は、ダビング済みコンテンツのジャンルに応じて、コンテンツ毎にライフタイムを設定することを特徴とする。
【００１５】
また、本発明のコンテンツ管理装置は、前記ダビング手段においてダビング指示したコンテンツが複数のＰＳ（Ｐｒｏｇｒａｍ  Ｓｔｒｅａｍ）を集約したＴＳ（Ｔｒａｎｓｐｏｒｔ  Ｓｔｒｅａｍ）で構成されるマルチ編成番組の場合、さらに、前記ダビング手段で指示したコンテンツ以外のコンテンツを削除する未選択コンテンツ削除手段を備え、録画された複数コンテンツの中から、ダビング指示したコンテンツだけをダビング済みリストに記録することを特徴とする。
【発明の効果】
【００１６】
本発明によれば、ライフタイム経過後にダビング済みコンテンツの一覧を表示することで、ユーザはライフタイムが経過するまではダビング先コンテンツが意図通りに保存されているかどうかを確認することができ、ライフタイム経過後にダビング済みコンテンツの一覧を表示することで、ダビング済みコンテンツを確実に削除することができる。
【００１７】
また、本発明によれば、ダビング元メディアの空き容量を増やすための手段を提供するため、ダビング元メディアの空き容量が足りないため録画ができないという問題を回避することができる。
【００１８】
また、本発明によれば、初期設定時に１度ライフタイムを設定するのみでダビング済みコンテンツリストを表示可能なのでユーザの手間がかからない。
【発明を実施するための最良の形態】
【００１９】
以下、本発明の実施の形態について、図面を参照しながら説明するが、最初に、本コンテンツ管理装置の構成について図１を用いて説明する。
このコンテンツ管理装置には、アンテナ０００３およびモニタ０００４が接続されている。このコンテンツ管理装置は、アンテナ０００３で受信された電波から得られた映像および音声を記録媒体００１８に記録し、記録された映像をモニタ０００４上に表示することができる。コンテンツ管理装置のチューナー０００７は、アンテナ０００３で受信された電波から目的のチャンネルを選局し、そのチャンネルの映像および音声をエンコーダ０００８に与える。エンコーダ０００８は、与えられた映像および音声を所定の記録方式で符号化する。エンコーダ０００８により符号化されたデータは、ＨＤＤドライブ００２２、あるいはＤＶＤドライブ００２１に挿入されたＤＶＤ−Ｒメディア００１９やＤＶＤ−ＲＡＭメディア００２０に記録される。デコーダ００１１は、ＨＤＤドライブ００２２、あるいはＤＶＤドライブ００２１に挿入されたメディアに記録されたデータを復号化し、出力制御部００１０は出力対象となるコンテンツ保護情報に応じたコピー制限情報の重畳制御を行い、復号化した映像のデータをオーバーレイ部０００９に出力する。ＯＳＤ（Ｏｎ  Ｓｃｒｅｅｎ  Ｄｉｓｐｌａｙ）表示部００１２は、コンテンツ管理装置の動作設定や状況を示す表示データを作成する。オーバーレイ部０００９は、デコーダ００１１からの映像のデータにＯＳＤ表示部００１２からの表示データを合成した所定の表示形式の映像を生成する。オーバーレイ部０００９により生成された映像が、モニタ０００４に表示される。モニタ０００４に表示された映像を見る指示やその他のコンテンツ管理装置に対する指示をユーザが行うのに、例えばリモコン０００２が用いられる。ユーザがリモコン０００２を用いて指示を入力すると、ユーザ入力部０００６が、リモコン０００２からの入力を受け付け、その内容をＣＰＵ００１５に伝える。ＣＰＵ００１５は、バス００１３を通じて行われるデータ転送やコンテンツ管理装置における各種の処理を制御する。ＲＯＭ００１６には、プログラムが記録されており、ＣＰＵ００１５は、ＲＡＭ００１７を用いながら、このプログラムにしたがって動作する。
【００２０】
（実施の形態１）
第１実施例は、ダビング済みコンテンツにライフタイムを設定し、ライフタイム経過後にライフタイムの経過したダビング済みコンテンツで構成される削除候補リストをユーザに提示し、ユーザの選択にしたがってダビング済みコンテンツを削除する装置の例である。まず、図２の構成図における構成要素を説明する。
【００２１】
（装置の構成要素）
入力選択部０１０１は入力機器であるリモコン０００２を用いて実行されるユーザ入力０００６に該当し、本コンテンツ管理装置のＵＩ（Ｕｓｅｒ  Ｉｎｔｅｒｆａｃｅ）である。ダビング処理部０１０２は選択されたＨＤＤドライブ００２２に記録されたダビング元コンテンツをＤＶＤドライブ００２１に挿入されたダビング先メディアに対してコピーする。ライフタイム初期設定部０１０３はライフタイムの初期値を設定する。記憶部０１０４はメモリであり、ダビング元メディアの空き領域のサイズを保持する空き容量閾値テーブル０１０５とコンテンツのジャンル毎に設定されたライフタイムを保持するライフタイム設定値テーブル０１０６とダビング元メディアにおいて１回以上ダビングされたコンテンツの一覧であるダビング済みコンテンツリスト０１０８を含んでいる。低ビットレートコンテンツ生成部０１０９はダビング済みコンテンツを元のビットレートよりも低ビットレートに変換する。削除部０１１０はコンテンツやダビング済みコンテンツリスト０１０８を削除する。空き容量監視部０１１１はダビング元の記憶媒体の空き容量をチェックする。削除候補リスト生成部０１１２はライフタイムが経過したコンテンツが存在する、あるいはダビング元メディアの記憶媒体の残容量が設定された閾値を下回った場合にライフタイムが経過した全ダビング済みコンテンツを削除候補としてリスト化する。削除候補リスト表示部０１１４は削除候補リストを表示する。ライフタイム監視部０１１３はダビング済みコンテンツリスト０１０８に登録されたダビング済みコンテンツの中でライフタイムが経過したコンテンツがあるかどうかをチェックする。
【００２２】
（装置の構成要素の関連）
入力選択部０１０１は本コンテンツ管理装置に対してユーザがダビングなどの設定をするための入力用ユーザインタフェースである。ダビング処理部０１０２に対してはダビング元とダビング先のメディアを選択するためのダビング方向１３０１、ダビング元コンテンツを低ビットレートに変換するかどうかを選択するためのモード１３０２、ダビング元コンテンツを選択するリスト作成１３０３に対して設定値を選択する。ライフタイム初期設定部０１０３に対しては空き容量閾値テーブル０１０５、ライフタイム設定値テーブル０１０６に設定する値を選択する。削除候補リスト表示部０１１４に対してはライフタイムが０となったダビング済みコンテンツリストの要素で構成される削除候補リストから削除するダビング済みコンテンツを選択する。
【００２３】
ここで、記憶部０１０４における空き容量閾値テーブル０１０５、ライフタイム設定値テーブル０１０６、ダビング済みコンテンツリスト０１０８はそれぞれ、図７（ａ）の空き容量閾値テーブル、図７（ｂ）のライフタイム設定値テーブル、図７（ｃ）のダビング済みコンテンツリストを含む。図７（ａ）の空き容量閾値テーブルは、ダビング元のメディアを示すダビング元メディア０６０１と、ダビング元メディアの空き容量が設定された閾値以下になるとライフタイムが経過したダビング済みコンテンツリストの要素を表示するという閾値の設定値を示す空き容量閾値０６０２を含み、図７（ｂ）のライフタイム設定値テーブルはＥＰＧ（Ｅｌｅｃｔｒｏｎｉｃ  Ｐｒｏｇｒａｍ  Ｇｕｉｄｅ）から得られるコンテンツの種類を示すコンテンツ種別０６０３と、コンテンツ種別０６０３毎にユーザ設定可能であるライフタイム０６０７の初期値を示すライフタイム設定値０６０４を含む。図７（ｃ）のダビング済みコンテンツリストはコンテンツを一意に識別するためのコンテンツＩＤ０６０５と、時刻０：００が経過するごとに１日ずつデクリメントされ０日となったタイミングでライフタイムが経過したと判断され削除候補となることを示すライフタイム０６０７を含む。
【００２４】
ライフタイム初期設定部０１０３は空き容量閾値テーブル０１０５とライフタイム設定値テーブル０１０６を入力選択部０１０１の指示により設定する。
ダビング処理部０１０２は入力選択部０１０１の指示により選択されたダビング方向１３０１、モード１３０２およびリスト作成１３０３の設定にしたがってダビング元メディア内のダビング元コンテンツをダビング先メディアにダビングする。
ダビング済みコンテンツリスト登録部０１０７は、ダビング処理部０１０２でダビング処理されたコンテンツのコンテンツＩＤ、タイトル名、およびライフタイム設定値テーブル０１０６から取得してきたライフタイム設定値０６０４をそれぞれ、ダビング済みコンテンツリスト０１０８におけるコンテンツＩＤ０６０５、タイトル名０６０６、ライフタイム０６０７に登録する。
【００２５】
低ビットレートコンテンツ生成部０１０９はダビング処理部０１０２のモード１３０２で「圧縮を行う」と指定された場合に、ダビング元メディア内のダビング済みコンテンツを低ビットレートに変換した低ビットレートダビング済みコンテンツを生成し、低ビットレートダビング済みコンテンツをダビング元メディア内に保存し、変換前のダビング元メディア内のダビング済みコンテンツを削除部０１１０で削除する。
空き容量監視部０１１１はＨＤＤドライブ００２２やＤＶＤドライブ００２１に挿入されたメディアの空き領域を調べ、ダビング元メディアの空き容量が空き容量閾値０６０２を下回ったときに、ライフタイム監視部０１１３にトリガをかける。
ライフタイム監視部０１１３はダビング済みコンテンツリスト０１０８の全要素のライフタイム０６０７を検索し、ライフタイム０６０７が０となったすべてのダビング済みコンテンツリストの要素をリスト化した削除候補リストを生成するよう指示する。
削除候補リスト生成部０１１２は空き容量監視部０１１１、もしくはライフタイム監視部０１１３からの依頼で削除候補リストを生成し、削除候補リスト表示部０１１４に削除候補リストを表示するよう依頼する。
【００２６】
削除候補リスト表示部０１１４はモニタ０００４に対して削除候補リスト生成部０１１２で生成された削除候補リストを表示する。ユーザは入力選択部０１０１を操作し、削除候補リストから削除するダビング済みコンテンツを選択することができる。入力選択部０１０１により削除するとして選択されたダビング済みコンテンツのコンテンツＩＤ０６０５を削除部０１１０に送る。
削除部０１１０は、削除候補リスト表示部０１１４から送られてきたコンテンツＩＤ０６０５に対するダビング済みコンテンツの実体およびダビング済みコンテンツリスト０１０８の要素を削除する。
ライフタイムデクリメント部０１１５は時刻０：００が経過する度にダビング済みコンテンツリスト０１０８の全要素のライフタイム０６０７を１日分デクリメントするが、ライフタイムが０日の要素に対しては作用しない。
【００２７】
（装置の動作）
以上のように構成されたダビング済みコンテンツの削除処理について説明する。本実施形態は空き容量閾値初期設定、ライフタイム初期設定を元にダビング済みコンテンツのライフタイムを設定し、ダビング元メディアの空き容量が閾値を下回ったとき、あるいはライフタイム経過後に削除候補リストを生成、表示し、ユーザに削除を促す。
【００２８】
空き容量閾値の初期設定の流れを、図３（ａ）を用いて説明する。また、具体的な例として図１０を用いる。図１０は空き容量閾値の初期設定画面を示している。図１０は空き容量閾値初期設定を選択するためのタブである空き容量閾値初期設定項目０９０１と、ダビング元メディアを示すダビング元メディア項目０９０２と、ダビング元メディアに対して空き容量が設定された閾値を下回った場合に削除候補リストを表示するための前記設定された閾値を示す空き容量閾値項目０９０３を含む。またダビング元メディア項目０９０２と空き容量閾値項目０９０３の要素はそれぞれ図７（ａ）の空き容量閾値テーブルにおけるダビング元メディア０６０１のメディア種別と空き容量閾値０６０２を示している。
【００２９】
空き容量閾値初期設定項目０９０１の画面において、ユーザがダビング元メディア０９０２の要素ＨＤＤにおける空き容量閾値項目０９０３の要素を２０％に変更すると判断した場合（Ｓ０２０１）、ダビング元メディア項目０９０２の要素ＨＤＤにおける空き容量閾値項目０９０３の要素を２０％に書き換える（Ｓ０２０２）。このときの空き容量閾値初期設定項目０９０１の画面は例えば図１０のようになる。ここで、ダビング元メディア項目０９０２の要素は、ＤＶＤ−ＲＡＭ、ＳＤカードなど記録・読み出し可能な媒体であるならばなんでもよい。また空き容量閾値項目０９０３の要素は、ＧＢ（ギガバイト）などの実容量など、ダビング元メディア項目０９０２の容量を表現することが可能な閾値であればなんでもよい。また空き容量閾値初期設定項目０９０１に、空き容量閾値如何に関わらず削除候補リストを表示しないように設定する機能を加えてもよい。図１０ではダビング元メディア項目０９０２に対する空き容量閾値の要素を００％とすることで削除候補リストを表示しないとしている。
【００３０】
同様にライフタイムの初期設定の流れを図３（ｂ）を用いて説明する。また、具体的な例として図１１を用いる。図１１はライフタイムの初期設定画面を示している。図１１はライフタイムの初期設定をするための画面であることを示すライフタイム初期設定１００１を含むが、場合によっては本実施例のようにコンテンツの種類を表すコンテンツ種別１００２と、コンテンツ種別１００２ごとに設定可能なライフタイム設定値１００３を含んでもよい。またコンテンツ種別１００２とライフタイム設定値１００３はそれぞれ図７（ｂ）のライフタイム設定値テーブルにおけるコンテンツ種別０６０３とコンテンツ種別０６０３ごとに設定されたライフタイム設定値０６０４に対応している。
【００３１】
ライフタイム初期設定１００１の画面において、ユーザがコンテンツ種別１００２の要素映画におけるライフタイム設定値１００３を３１日間に変更すると判断した場合（Ｓ０２０３）、コンテンツ種別１００２の要素映画におけるライフタイム設定値１００３を３１日間に書き換える（Ｓ０２０４）。このときのライフタイム初期設定１００１の画面は例えば図１１のようになる。ここで、コンテンツ種別１００２の要素は、教育、野球などコンテンツの内容の特徴を現すものであるならばなんでもよい。またライフタイム設定値１００３の要素は、例えば「２００６年１０月２７日」などのように指定し、２００６年１０月２７日を経過したときにライフタイムが経過したと判断してもよい。またライフタイム初期設定１００１に、コンテンツ種別如何に関わらず削除候補リストを表示しないように設定する機能を加えてもよい。図１０と同様、図１１ではコンテンツ種別１００２に対するライフタイム設定値の要素を００日間とすることで削除候補リストを表示しないとしている。
【００３２】
ここで、ダビング元コンテンツについて説明する。図８はデジタル放送におけるＥＰＧからその一部を抜き出したものを示している。
図８は、番組情報０７０１と、時間０７０２と、放送局名０７０３と、００１ｃｈサブチャンネル０７０４と、００２ｃｈサブチャンネル０７０５と、００３ｃｈサブチャンネル０７０６を含む。時間０７０２はそれぞれの番組の放送が開始される時刻を表している。放送局名０７０３は放送している放送局名であり、図８ではＸ放送局となっている。サブチャンネル０７０４から０７０６はＸ放送局が放送できるチャンネルを表している。このサブチャンネル３つを使って、Ｘ放送局はハイビジョン番組を放送できる。番組情報０７０１には、チャンネルと時間帯に対応して、コンテンツ種別、タイトル名、内容が記述されている。図８にあるように、時間０７０２における１９：００〜２１：００の２時間はハイビジョン放送でプロ野球「ＸＸＸ  ×  ＹＹＹ」が放送される。そして２１：００〜２３：００の間は映画「Ｚメン  宇宙へ行く」が放送される。
【００３３】
図９は図８のプロ野球「ＸＸＸ  ×  ＹＹＹ」が２１：００〜２１：３０の期間分延長された場合の様子を示している。図９は、番組情報０８０１と、時間０８０２と、放送局名０８０３と、００１ｃｈサブチャンネル０８０４と、００２ｃｈサブチャンネル０８０５と、００３ｃｈサブチャンネル０８０６を含む。
ここでデジタルハイビジョン放送では００３ｃｈサブチャンネル０８０６にプロ野球中継延長番組を放送し、他の００１ｃｈサブチャンネル０８０４と００２ｃｈサブチャンネル０８０５に映画「Ｚメン  宇宙へ行く」を放送する。ゆえに、Ｘ放送局０８０３の時間０８０２における２１：００〜２３：００の時間帯を録画した場合、映画「Ｚメン  宇宙へ行く」が２時間と、プロ野球中継延長３０分が録画される。ここで本実施形態では、００１ｃｈサブチャンネル０８０４、００２ｃｈサブチャンネル０８０５および００３ｃｈサブチャンネル０８０６のような個々のチャンネルをＰＳ（Ｐｒｏｇｒａｍ  Ｓｔｒｅａｍ）、いくつかのサブチャンネルを放送局単位で束ねたものをＴＳ（Ｔｒａｎｓｐｏｒｔ  Ｓｔｒｅａｍ）と呼び、そのコンテンツをそれぞれＰＳコンテンツ、ＴＳコンテンツと呼ぶこととする。
【００３４】
図１２、図１３は、図９において時間０８０２における２１：００〜２３：００のＸ放送局０８０３による番組を録画した場合のコンテンツの一覧をサムネイル表示した場合の様子を示している。特に図１２はＴＳコンテンツのサムネイル一覧表示、図１３は映画「Ｚメン  宇宙へ行く」のＴＳコンテンツをＰＳ表示した場合の様子を示している。図１２はＴＳコンテンツの一覧表示を示すＴＳ表示中１１０１と、ＴＳコンテンツのサムネイル１１０２と、コンテンツを一意に識別するためのコンテンツＩＤ１１０３と、コンテンツのタイトルを示すタイトル名１１０４を含み、図１３はＰＳコンテンツの一覧表示を示すＰＳ表示中１２０１と、ＰＳコンテンツのサムネイル１２０２と、コンテンツのタイトルを示すタイトル名１２０３を含む。ＴＳコンテンツのサムネイル１１０２の要素である映画「Ｚメン  宇宙へ行く」におけるＰＳコンテンツは、ＰＳコンテンツのサムネイル１２０２の要素である映画「Ｚメン  宇宙へ行く」とプロ野球「ＸＸＸ  ×  ＹＹＹ」となっている。
【００３５】
次にダビング時における動作を、図４を用いて説明する。ユーザがＴＳダビングすると判断した場合（Ｓ０３０１）、図１４のような画面が表示される。ここで図１４は、ＨＤＤ、ＤＶＤ−ＲＡＭ、ＳＤカードといったメディアの中からダビング元メディアとダビング先メディアを選択するダビング方向１３０１と、コンテンツを低ビットレートに圧縮するか否かを選択するモード１３０２と、ダビング元メディア内に保存されているコンテンツからダビング元コンテンツを選択するリスト作成１３０３と、リスト作成１３０３が選択された場合に選択されたコンテンツを表示するダビングリスト１３０４と、ダビング処理を開始するダビング開始１３０５を含む。図１４において、ダビング方向１３０１は「ダビング元メディアをＨＤＤ、ダビング先メディアをＤＶＤ」と選択、モード１３０２は「圧縮する」を選択したとする。加えて、ダビングリスト１３０４を選択すると、図１２で示す画面に遷移する。ユーザがダビング元コンテンツとしてＴＳコンテンツのサムネイル１１０２の要素である映画「Ｚメン  宇宙へ行く」を選択すると、図１５に遷移する。
【００３６】
図１５はダビング元コンテンツとして選択されたＴＳコンテンツ内に複数のＰＳコンテンツが存在した場合にダビングするＰＳコンテンツを選択するかどうかを選択するためのダイアログが表示されている画面である。ここで図１５はＴＳコンテンツ内に複数のＰＳコンテンツが存在することを示すメッセージ１４０１と、ＴＳコンテンツ内の複数のＰＳコンテンツからダビングするＰＳコンテンツを選択する「選択する」釦１４０２と、複数ＰＳコンテンツを含んだままＴＳコンテンツをダビングする「しない」釦１４０３を含む。ここで「選択する」釦１４０２が押下されたとすると、図１３の画面へ遷移する。ユーザがダビングコンテンツとしてＰＳコンテンツのサムネイル１２０２の要素である映画「Ｚメン  宇宙へ行く」を選択すると、「ＨＤＤからＤＶＤへダビングを行うが、ＤＶＤへダビングする際には映画「Ｚメン  宇宙へ行く」のＰＳコンテンツのみをダビング対象とし、ダビング完了後はＨＤＤ内の映画「Ｚメン  宇宙へ行く」のダビング済みコンテンツを低ビットレートに変換する」、と設定される（Ｓ０３０２）。
【００３７】
図１４のダビング開始１３０５が選択されると、ダビング処理が開始され（Ｓ０３０３）、図１６の画面に遷移する。ここで図１６はダビング中であることを示すメッセージ１５０１を含む。ダビングが完了すると、図７（ｃ）のダビング済みコンテンツリストにダビング済みコンテンツとなった映画「Ｚメン  宇宙へ行く」のコンテンツＩＤである４をコンテンツＩＤ０６０５に登録し、タイトル名０６０６に映画「Ｚメン  宇宙へ行く」を登録し、図７（ｂ）におけるライフタイム設定値テーブルのコンテンツ種別０６０３を検索し映画に該当する要素に対応するライフタイム設定値０６０４をライフタイム０６０７に登録する（Ｓ０３０４）。Ｓ０３０２でダビングするＰＳを選択するとした場合（Ｓ０３０５）、選択されたＰＳ以外のＰＳを削除する（Ｓ０３０６）。
【００３８】
続いてＳ０３０２において、モード１３０２が「圧縮する」と選択されていた場合（Ｓ０３０７）、図１７の画面に遷移し、ＨＤＤ内のダビング済みコンテンツである映画「Ｚメン  宇宙へ行く」を低ビットレートに変換する（Ｓ０３０８）。ここで図１７はダビング元メディアにおけるダビング済みコンテンツを低ビットレートに変換圧縮中であることを示すメッセージ１６０１を含む。低ビットレート変換が完了すると、ダビング処理が完了となる。
【００３９】
続いて、ライフタイム０６０７を経過させる処理を、図５を用いて説明する。ライフタイム監視部０１１３は内蔵タイマ００１４により時刻０：００が過ぎたことを知ると（Ｓ０４０１）、図７（ｃ）におけるダビング済みコンテンツリストのすべての要素におけるライフタイム０６０７を１日デクリメントする（Ｓ０４０２）。ゆえに、３１回分、時刻０：００を経過すると、映画「Ｚメン  宇宙へ行く」のライフタイム０６０７が０となる。
【００４０】
続いて、ダビング済みコンテンツの削除処理を図６を用いて説明する。図６の処理の開始は、本コンテンツ管理装置の電源が投入された直後に行うが、例えば一定時間周期で行ってもよいし、ダビング処理が完了した後に行ってもよい。ディスク残量が空き容量閾値０９０３で設定された値を下回る（Ｓ０５０１）と、図１８の画面に遷移する（Ｓ０５０３）。またそうでなくとも、図７（ｃ）のダビング済みコンテンツリストにおいて、ライフタイム０６０７の要素が０日となっているものが存在すれば（Ｓ０５０２）、そのすべてに対するダビング済みコンテンツリストの要素をリスト化した削除候補リストを表示する（Ｓ０５０３）。
【００４１】
図１８は削除候補リストとしてダビング済みコンテンツをリスト表示した様子を示している。削除候補リストは、削除を促すメッセージ１７０１と、コンテンツを一意に識別するコンテンツＩＤ１７０２と、コンテンツのタイトルを示すタイトル名１７０３を含む。図１８の例では、ライフタイム０６０７が経過したダビング済みコンテンツとして、渡る世間はゴミばかり  第３話と、映画「Ｚメン  宇宙へ行く」が表示されている。ここで、映画「Ｚメン  宇宙へ行く」をユーザが選択すると、図１９の画面に遷移する。
【００４２】
図１９は選択されたダビング済みコンテンツの削除を促すダイアログが表示されている様子を示しており、削除するかどうかを問うメッセージ１８０１と、削除を選択する「削除」釦１８０２と、キャンセルを選択する「キャンセル」釦１８０３を含む。削除１８０２釦が押下されると、映画「Ｚメン  宇宙へ行く」コンテンツの実体と、図７（ｃ）のダビング済みコンテンツリストにおける映画「Ｚメン  宇宙へ行く」に対応する要素が削除される。
【００４３】
（実施の形態２）
第２実施例は、ダビング済みコンテンツにライフタイムを設定し、ライフタイム経過後あるいはダビング済みコンテンツの記録されている記録媒体の残容量が設定された閾値を下回った場合にライフタイムの経過したダビング済みコンテンツで構成される圧縮候補リストをユーザに提示し、ユーザの選択にしたがってダビング済みコンテンツを低ビットレートに圧縮変換する装置の例である。まず、図２０の構成図における構成要素を説明する。実施の形態２は実施の形態１からの差分のみを説明する。
【００４４】
（装置の構成要素）
（装置の構成要素の関連）
図２の構成図の要素は図２０に対応している。すなわち、入力選択部０１０１、ダビング処理部０１０２、ライフタイム初期設定部０１０３、記憶部０１０４、空き容量閾値テーブル０１０５、ライフタイム設定値テーブル０１０６、ダビング済みコンテンツリスト登録部０１０７、ダビング済みコンテンツリスト０１０８、低ビットレートコンテンツ生成部０１０９、削除部０１１０、空き容量監視部０１１１、削除候補リスト生成部０１１２、ライフタイム監視部０１１３、削除候補リスト表示部０１１４、ライフタイムデクリメント部０１１５はそれぞれ、入力選択部１９０１、ダビング処理部１９０２、ライフタイム初期設定部１９０３、記憶部１９０４、空き容量閾値テーブル１９０５、ライフタイム設定値テーブル１９０６、ダビング済みコンテンツリスト登録部１９０７、ダビング済みコンテンツリスト１９０８、低ビットレートコンテンツ生成部１９０９、削除部１９１０、空き容量監視部１９１１、圧縮候補リスト生成部１９１２、ライフタイム監視部１９１３、圧縮候補リスト表示部１９１４、ライフタイムデクリメント部１９１５に対応している。図２０の構成図の要素の図２との差分は、削除部１９１０、圧縮候補リスト表示部１９１４、低ビットレートコンテンツ生成部１９０９である。
【００４５】
削除部１９１０は、圧縮候補リスト表示部１９１４から送られてきたコンテンツＩＤ０６０５に対するダビング済みコンテンツのダビング済みコンテンツリスト１９０８の要素を削除する。
圧縮候補リスト表示部１９１４は圧縮候補リスト生成部１９１２で生成された圧縮候補リストをユーザに対して表示する。ユーザは入力選択部１９０１を操作し、圧縮候補リストから低ビットレートに変換するダビング済みコンテンツを選択することができる。入力選択部１９０１により低ビットレートに変換するとして選択されたダビング済みコンテンツのコンテンツＩＤ０６０５を削除部１９１０に送る。
低ビットレートコンテンツ生成部１９０９は圧縮候補リスト表示部１９１４で低ビットレートに変換すると選択された場合に、ダビング元メディア内のダビング済みコンテンツを低ビットレートに変換した低ビットレートダビング済みコンテンツを生成し、低ビットレートダビング済みコンテンツをダビング元メディア内に保存し、変換前のダビング元メディア内のダビング済みコンテンツを削除部１９１０で削除する。
【００４６】
（装置の動作）
以上のように構成されたダビング済みコンテンツの圧縮処理について説明する。本実施形態は空き容量閾値初期設定、ライフタイム初期設定を元にダビング済みコンテンツのライフタイムを設定し、ダビング元メディアの空き容量が閾値を下回ったとき、あるいはライフタイム経過後に圧縮候補リストを生成、表示し、ユーザにダビング元メディアの空き容量を増やすよう促す。
空き容量閾値の初期設定およびライフタイム初期設定の流れは、実施の形態１における図３のフローチャートと同様なので割愛する。
【００４７】
次にダビング時における動作を図２１を用いて説明する。図２１は図４と対応している。すなわち、Ｓ０３０１からＳ０３０６はそれぞれＳ２００１からＳ２００６に対応している。図２１ではＳ０３０７とＳ０３０８に該当するようなダビング済みコンテンツを低ビットレートに変換する処理は行わない。また、Ｓ０３０２におけるダビングモードの設定も、Ｓ２００２では行わない。
ユーザがＴＳダビングすると判断した場合（Ｓ２００１）、図２３のような画面が表示される。図２３は図１４と対応しており、ダビング方向２２０１、リスト作成２２０３、ダビングリスト２２０４、ダビング開始２２０５はそれぞれダビング方向１３０１、リスト作成１３０３、ダビングリスト１３０４ダビング開始１３０５に対応している。ただし、モード１３０２に該当するものは図２３に存在しない。
図２３において、ダビング方向２２０１はダビング元メディアをＨＤＤ、ダビング先メディアをＤＶＤと選択したとする。加えて、ダビングリスト２２０４を選択すると、図１２で示す画面に遷移するが、リスト作成２２０３におけるダビングリスト登録時の動作は実施の形態１と同等なので、説明を割愛する。リスト作成２２０３が完了すると、ＨＤＤからＤＶＤへ、プロ野球「ＸＸＸ  ×  ＹＹＹ」のＰＳコンテンツを削除し、映画「Ｚメン  宇宙へ行く」のＴＳコンテンツをダビングすると設定される（Ｓ２００２）。
図２３のダビング開始２２０５が選択されると、ダビング処理が開始され（Ｓ２００３）、図１６の画面に遷移するが、図１６での動作は実施の形態１と同等なので、説明を割愛する。ダビングすると選択されたＰＳ以外のＰＳが削除されると（Ｓ２００６）、ダビング処理が完了となる。
【００４８】
続いて、ライフタイム０６０７を経過させる処理は、実施の形態１における図５のフローチャートと同様なので割愛する。
【００４９】
続いて、ダビング済みコンテンツの低ビットレート圧縮処理を図２２を用いて説明する。図２２は図６に対応している。すなわち、Ｓ２１０１、Ｓ２１０２、Ｓ２１０３はそれぞれＳ０５０１、Ｓ０５０２、Ｓ０５０３に対応している。Ｓ２１０４からＳ２１０６は実施の形態１との差分である。Ｓ２１０３までの処理は実施の形態１と同等である。
Ｓ２１０３の処理により、ライフタイムの０６０７の経過したダビング済みコンテンツリストの要素をリスト化した圧縮候補リストを表示する（Ｓ２１０３）。
図２４は圧縮候補リストとしてダビング済みコンテンツをリスト表示した様子を示している。圧縮候補リストは、低ビットレート変換を促すメッセージ２３０１と、コンテンツを一意に識別するコンテンツＩＤ２３０２と、コンテンツのタイトルを示すタイトル名２３０３を含む。図２４の例では、ライフタイム０６０７が経過したダビング済みコンテンツとして、渡る世間はゴミばかり  第３話と、映画「Ｚメン  宇宙へ行く」が表示されている。ここで、映画「Ｚメン  宇宙へ行く」をユーザが選択すると、図２５の画面に遷移する。
【００５０】
図２５は選択されたダビング済みコンテンツの低ビットレート変換を促すダイアログが表示されている様子を示しており、低ビットレート変換するかどうかを問うメッセージ２４０１と、低ビットレート変換すると選択する「圧縮」釦２４０２と、キャンセルを選択する「キャンセル」釦２４０３を含む。「圧縮」２４０２釦が押下されると、映画「Ｚメン  宇宙へ行く」コンテンツの実体が低ビットレートに変換され、図７（ｃ）のダビング済みコンテンツリストにおける映画「Ｚメン  宇宙へ行く」に対応する要素が削除される。
【００５１】
実施の形態１は削除候補リスト表示部０１１４によりライフタイムが経過したダビング済みコンテンツを削除するかどうかを問うが、本実施の形態２は、圧縮候補リスト表示部１９１４によりライフタイムが経過したダビング済みコンテンツを低ビットレートに圧縮するかどうかを問う構成が実施の形態１と異なっており、ライフタイム経過後もダビング元メディアにコンテンツを残すので、ユーザはライフタイムが経過後もダビング先メディアを本コンテンツ管理装置のＤＶＤドライブ００２１に挿入せずとも、ダビング元コンテンツの視聴が可能なので、手間がかからない。
【産業上の利用可能性】
【００５２】
本発明にかかるコンテンツ管理装置はＨＤＤ／ＤＶＤドライブに対してコンテンツを保存・再生する機能を有し、ＤＶＤ／ＨＤＤレコーダ等として有用である。また、音楽プレイヤー等の用途にも応用できる。
【図面の簡単な説明】
【００５３】
【図１】本発明の実施形態におけるコンテンツ管理装置の基本構成を示す図
【図２】本発明の実施の形態１におけるコンテンツ管理装置の構成を示す図
【図３】本発明の実施形態における空き容量閾値およびライフタイム設定値の初期設定のフローを示す図
【図４】本発明の実施の形態１におけるダビング処理のフローを示す図
【図５】本発明の実施形態におけるライフタイム設定値を経過させる処理のフローを示す図
【図６】本発明の実施の形態１におけるダビング済みコンテンツ削除処理のフローを示す図
【図７】空き容量閾値テーブル、ライフタイム設定値テーブルおよびダビング済みコンテンツリストを示す図
【図８】デジタル放送における番組の例を示した図
【図９】デジタル放送における番組の例において、野球が延長した場合の番組の放送を示した図
【図１０】空き容量閾値初期設定画面を示した図
【図１１】ライフタイム初期設定画面を示した図
【図１２】ダビング元メディア内のＴＳコンテンツをサムネイル表示した画面を示した図
【図１３】ダビング元メディア内のＰＳコンテンツをサムネイル表示した画面を示した図
【図１４】本発明の実施の形態１におけるダビング設定画面を示した図
【図１５】ＴＳコンテンツ内に複数のＰＳコンテンツが存在したときに、ダビングリストにＴＳコンテンツを登録しようと選択したときに表示されるダビングするＰＳを選択する画面を示した図
【図１６】ダビング中の画面であることを示した図
【図１７】低ビットレートに変換中であることを示した図
【図１８】ライフタイムが経過したダビング済みコンテンツリストの要素を一覧表示した削除候補リストを示した図
【図１９】削除候補リストから削除するダビング済みコンテンツが選択された場合に削除するかどうかを選択する画面を示した図
【図２０】本発明の実施の形態２におけるコンテンツ管理装置の構成を示す図
【図２１】本発明の実施の形態２におけるダビング処理のフローを示す図
【図２２】本発明の実施の形態２におけるダビング済みコンテンツの圧縮処理のフローを示す図
【図２３】本発明の実施の形態２におけるダビング設定画面を示した図
【図２４】ライフタイムが経過したダビング済みコンテンツリストの要素を一覧表示した圧縮候補リストを示した図
【図２５】圧縮候補リストから低ビットレート変換するダビング済みコンテンツが選択された場合に低ビットレート変換するかどうかを選択する画面を示した図
【符号の説明】
【００５４】
０００１      外部機器
０００２      リモコン
０００３      アンテナ
０００４      モニタ
０００５      外部入出力部
０００６      ユーザ入力部
０００７      チューナー
０００８      エンコーダ
０００９      オーバーレイ
００１０      出力制御部
００１１      デコーダ
００１２      ＯＳＤ表示
００１３      バス
００１４      内蔵タイマ
００１５      ＣＰＵ
００１６      ＲＯＭ
００１７      ＲＡＭ
００１９      ＤＶＤ−Ｒ
００２０      ＤＶＤ−ＲＡＭ
００２１      ＤＶＤドライブ
００２２      ＨＤＤドライブ
０１０１      入力選択部
０１０２      ダビング処理部
０１０３      ライフタイム初期設定部
０１０４      記憶部
０１０５      空き容量閾値テーブル
０１０６      ライフタイム設定値テーブル
０１０７      ダビング済みコンテンツリスト登録部
０１０８      ダビング済みコンテンツリスト
０１０９      低ビットレートコンテンツ生成部
０１１０      削除部
０１１１      空き容量監視部
０１１２      削除候補リスト生成部
０１１３      ライフタイム監視部
０１１４      削除候補リスト表示部
０１１５      ライフタイムデクリメント部
０６０１      ダビング元メディア
０６０２      空き容量閾値
０６０３      コンテンツ種別
０６０４      ライフタイム設定値
０６０５      コンテンツＩＤ
０６０６      タイトル名
０６０７      ライフタイム
０７０１      番組情報
０７０２      時間
０７０３      放送局名
０７０４      ００１ｃｈサブチャンネル
０７０５      ００２ｃｈサブチャンネル
０７０６      ００３ｃｈサブチャンネル
０８０１      番組情報
０８０２      時間
０８０３      放送局名
０８０４      ００１ｃｈサブチャンネル
０８０５      ００２ｃｈサブチャンネル
０８０６      ００３ｃｈサブチャンネル
０９０１      空き容量閾値初期設定
０９０２      ダビング元メディア
０９０３      空き容量閾値
１００１      ライフタイム初期設定
１００２      コンテンツ種別
１００３      ライフタイム設定値
１１０１      ＴＳ表示中
１１０２      サムネイル表示
１１０３      コンテンツＩＤ
１１０４      タイトル名
１２０１      ＰＳ表示中
１２０２      サムネイル表示
１２０３      タイトル名
１３０１      ダビング方向
１３０２      モード
１３０３      リスト作成
１３０４      ダビングリスト
１３０５      ダビング開始
１４０１      メッセージ
１４０２      選択する
１４０３      しない
１５０１      メッセージ
１６０１      メッセージ
１７０１      メッセージ
１７０２      コンテンツＩＤ
１７０３      タイトル名
１８０１      メッセージ
１８０２      削除
１８０３      キャンセル
１９０１      入力選択部
１９０２      ダビング処理部
１９０３      ライフタイム初期設定部
１９０４      記憶部
１９０５      空き容量閾値テーブル
１９０６      ライフタイム設定値テーブル
１９０７      ダビング済みコンテンツリスト登録部
１９０８      ダビング済みコンテンツリスト
１９０９      低ビットレートコンテンツ生成部
１９１０      削除部
１９１１      空き容量監視部
１９１２      圧縮候補リスト生成部
１９１３      ライフタイム監視部
１９１４      圧縮候補リスト表示部
１９１５      ライフタイムデクリメント部
２２０１      ダビング方向
２２０３      リスト作成
２２０４      ダビングリスト
２２０５      ダビング開始
２３０１      メッセージ
２３０２      コンテンツＩＤ
２３０３      タイトル名
２４０１      メッセージ
２４０２      圧縮
２４０３      キャンセル
【図１】
2007243865.tif 000003
【図２】
2007243865.tif 000004
【図３】
2007243865.tif 000005
【図４】
2007243865.tif 000006
【図５】
2007243865.tif 000007
【図６】
2007243865.tif 000008
【図７】
2007243865.tif 000009
【図８】
2007243865.tif 000010
【図９】
2007243865.tif 000011
【図１０】
2007243865.tif 000012
【図１１】
2007243865.tif 000013
【図１２】
2007243865.tif 000014
【図１３】
2007243865.tif 000015
【図１４】
2007243865.tif 000016
【図１５】
2007243865.tif 000017
【図１６】
2007243865.tif 000018
【図１７】
2007243865.tif 000019
【図１８】
2007243865.tif 000020
【図１９】
2007243865.tif 000021
【図２０】
2007243865.tif 000022
【図２１】
2007243865.tif 000023
【図２２】
2007243865.tif 000024
【図２３】
2007243865.tif 000025
【図２４】
2007243865.tif 000026
【図２５】
2007243865.tif 000027